(57)【要約】【課題】室内温度を正確に検知することが可能な床置型空気調和機を提供する。【解決手段】この床置型空気調和機は、ケーシングユニット５０と、ケーシングユニット５０内に配置された室内熱交換器２０、電装品ユニット２２、及び、温度センサ７１とを備えている。そして、温度センサ７１は、電装品ユニット２２の下方であって、正面視において室内熱交換器２０に重ならないように配置されている。ケーシングユニット５０には、室内熱交換器２０へと空気を取り入れる上下方向に長尺な吸込口が形成されており、温度センサ７１が、上下方向に関して吸込口の中央位置の付近に配置されている。また、温度センサ７１は、冷媒用配管を覆う防滴カバー６０において冷媒用配管とは反対側の表面に固定されている。【選択図】図４
2010078219.tif 000002
【特許請求の範囲】
【請求項１】
ケーシングと、
前記ケーシング内に配置された熱交換器、電装品ユニット、及び、温度センサとを備え、
前記温度センサが、前記電装品ユニットの下方であって、正面視において前記熱交換器に重ならないように配置されていることを特徴とする床置型空気調和機。
【請求項２】
前記熱交換器へと空気を取り入れる上下方向に長尺な吸込口が前記ケーシングに形成されており、
前記温度センサが、上下方向に関して前記吸込口の中央位置の付近に配置されていることを特徴とする請求項１に記載の床置型空気調和機。
【請求項３】
前記熱交換器に接続される冷媒用配管が前記ケーシング内に配置されており、
前記冷媒用配管を覆うカバー部材をさらに備えており、
前記温度センサが、前記カバー部材において前記冷媒用配管とは反対側の表面に固定されていることを特徴とする請求項１又は２に記載の床置型空気調和機。
【請求項４】
前記電装品ユニットと前記温度センサとを互いに着脱可能に固定する固定部が、前記電装品ユニット及び温度センサの少なくともいずれかに設けられていることを特徴とする請求項１〜３のいずれか１項に記載の床置型空気調和機。
【発明の詳細な説明】
【技術分野】
【０００１】
本発明は、室内温度を検知するための温度センサを備えた床置型空気調和機に関する。
【背景技術】
【０００２】
空気調和機の室内機には、室内環境が所望の温度に達したか否かを判断等するために、室内温度を検知するための温度センサが設けられるのが一般的である（例えば、特許文献１参照）。この特許文献１には、温度センサを電装品ユニットの基板に取り付けることにより、熱交換器やその熱交換器に接続される冷媒用配管（以下、熱交換器等と略記する）からの輻射熱を遮るようにする技術が開示されている。
【特許文献１】特開２００８−１４４９９９号公報
【発明の開示】
【発明が解決しようとする課題】
【０００３】
しかしながら、電装品ユニットの基板に温度センサを取り付けると、熱交換器等からの輻射熱を遮ることはできるものの、基板に実装される電装品が発熱するので、電装品ユニットの基板に取り付けられた温度センサでは、正確な室温を検知することができないという問題がある。
【０００４】
そこで、この発明は、上記のような課題を解決するためになされたものであり、室内温度を正確に検知することが可能な温度センサを備えた床置型空気調和機を提供することを目的とする。
【課題を解決するための手段】
【０００５】
第１の発明にかかる床置型空気調和機は、ケーシングと、ケーシング内に配置された熱交換器、電装品ユニット、及び、温度センサとを備え、温度センサが、電装品ユニットの下方であって、正面視において熱交換器に重ならないように配置されている。
【０００６】
この床置型空気調和機では、温度センサが電装品ユニットから離隔しているので、電装品ユニットからの発熱の影響を受けにくい。また、ケーシングにより形成される内部空間の上部には、電装品ユニットの発熱によって暖められた空気が滞留しやすい。これに対して本発明は、温度センサが電装品ユニットの下方に配置されており、暖められた空気から離れているので、より電装品ユニットの発熱の影響を受けにくい。さらに、温度センサが正面視において熱交換器から離隔しているので、熱交換器からの熱伝達の影響を受けにくい。特に、近年の薄型の空気調和機では、温度センサを熱交換器に重なるように配置すると、温度センサと熱交換器との距離が近くなり、温度センサが熱交換器からの熱伝達の影響を受け易くなるが、本発明のように温度センサを正面視において熱交換器から離隔して配置することで、薄型の空気調和機でも、熱交換器からの熱伝達の影響を受けにくくなる。以上のように、当該温度センサは、電装品ユニット及び熱交換器からの熱の影響を受けにくいので、当該温度センサで室内温度を正確に検知することができる。
【０００７】
第２の発明にかかる床置型空気調和機は、第１の発明にかかる床置型空気調和機において、熱交換器へと空気を取り入れる上下方向に長尺な吸込口がケーシングに形成されており、温度センサが、上下方向に関して吸込口の中央位置の付近に配置されている。
【０００８】
吸込口からの空気の流速は、吸込口の端部から最も離れた中央付近において最大となりやすい。したがって、この床置型空気調和機では、吸込口からの空気を確実に温度センサに当てることができるので、室内温度を正確に検知することができる。
【０００９】
第３の発明にかかる床置型空気調和機は、第１又は第２の発明にかかる床置型空気調和機において、熱交換器に接続される冷媒用配管がケーシング内に配置されており、冷媒用配管を覆うカバー部材をさらに備えており、温度センサが、カバー部材において冷媒用配管とは反対側の表面に固定されている。
【００１０】
この床置型空気調和機では、カバー部材が冷媒用配管と温度センサとの間に配置されるので、温度センサが冷媒用配管からの熱伝達の影響を受けにくい。このため、室内温度をより正確に検知することができる。
【００１１】
第４の発明にかかる床置型空気調和機は、第１〜第３の発明のいずれかにかかる床置型空気調和機において、電装品ユニットと温度センサとを互いに着脱可能に固定する固定部が、電装品ユニット及び温度センサの少なくともいずれかに設けられている。
【００１２】
この床置型空気調和機では、装置組み立て前には電装品ユニットに温度センサを固定しておき、組み立て時に電装品ユニットから温度センサを取り外して電装品ユニットから離隔した所定の位置に配置することができる。
【発明の効果】
【００１３】
以上の説明に述べたように、本発明によれば、以下の効果が得られる。
【００１４】
第１の発明では、温度センサが電装品ユニットから離隔しているので、電装品ユニットからの発熱の影響を受けにくい。また、ケーシングにより形成される内部空間の上部には、電装品ユニットの発熱によって暖められた空気が滞留しやすい。これに対して本発明は、温度センサが電装品ユニットの下方に配置されており、暖められた空気から離れているので、より電装品ユニットの発熱の影響を受けにくい。さらに、温度センサが正面視において熱交換器から離隔しているので、熱交換器からの熱伝達の影響を受けにくい。特に、近年の薄型の空気調和機では、温度センサを熱交換器に重なるように配置すると、温度センサと熱交換器との距離が近くなり、温度センサが熱交換器からの熱伝達の影響を受け易くなるが、本発明のように温度センサを正面視において熱交換器から離隔して配置することで、薄型の空気調和機でも、熱交換器からの熱伝達の影響を受けにくくなる。以上のように、当該温度センサは、電装品ユニット及び熱交換器からの熱の影響を受けにくいので、当該温度センサで室内温度を正確に検知することができる。
【００１５】
また、第２の発明では、吸込口の端部から最も離れた中央付近において最大となりやすい。したがって、この床置型空気調和機では、吸込口からの空気をより確実に温度センサに当てることができるので、室内温度を正確に検知することができる。
【００１６】
また、第３の発明では、カバー部材が冷媒用配管と温度センサとの間に配置されるので、温度センサが冷媒用配管からの熱伝達の影響を受けにくい。このため、室内温度をより正確に検知することができる。
【００１７】
また、第４の発明では、装置組み立て前には電装品ユニットに温度センサを固定しておき、組み立て時に電装品ユニットから温度センサを取り外して電装品ユニットから離隔した所定の位置に配置することができる。
【発明を実施するための最良の形態】
【００１８】
以下、図面に基づいて、本発明に係る床置型空気調和機の実施形態について説明する。
【００１９】
図１は、本発明の一実施形態の空気調和機の冷媒回路図である。図２は、室内機の外観を示した斜視図である。図３〜図１２は、図２に示した室内機の詳細を説明するための図である。以下、図１〜図１２を参照して、本発明の一実施形態に係る空気調和機について説明する。
【００２０】
＜空気調和機＞
本発明の一実施形態に係る空気調和機１は、調和された空気を室内に供給するための装置であって、図１に示すように、室内に設置される室内機２と、室外に設置される室外機３と、室内機２と室外機３とを接続する接続配管４とを備えており、室内機２及び室外機３内に収納された機器・弁類と、接続配管４とが接続されて冷媒回路を構成している。冷媒回路は、主として、室内熱交換器２０、室外熱交換器３０、アキュムレータ３１、圧縮機３２、四路切換弁３３および電動膨張弁３４により構成される。
【００２１】
そして、上記構成の空気調和機１において、暖房運転時には、四路切換弁３３を実線に係る位置に切り換える。これにより、圧縮機３２から吐出された高温高圧冷媒が四路切換弁３３を通って室内熱交換器２０に流入する。そして、室内熱交換器（凝縮器）２０で凝縮した冷媒は、電動膨張弁３４で減圧された後、室外熱交換器３０に流入する。そして、室外熱交換器（蒸発器）３０で蒸発した冷媒が、四路切換弁３３及びアキュムレータ３１を介して、圧縮機３２の吸入側に戻る。このようにして、室内熱交換器２０の周囲の空気が加熱されて、温風が室内に供給される。
【００２２】
また、冷房運転時には、四路切換弁３３を点線に係る位置に切り換える。これにより、圧縮機３２から吐出された高温高圧冷媒が四路切換弁３３を通って室外熱交換器３０に流入する。そして、室外熱交換器（凝縮器）３０で凝縮した冷媒は、電動膨張弁３４で減圧された後、室内熱交換器２０に流入する。そして、室内熱交換器（蒸発器）２０で蒸発した冷媒が、四路切換弁３３及びアキュムレータ３１を介して、圧縮機３２の吸入側に戻る。このようにして、室内熱交換器２０の周囲の空気が冷却されて、冷風が室内に供給される。
【００２３】
＜室外機＞
室外機３は、圧縮機３２と、圧縮機３２の吐出側に接続された四路切換弁３３と、圧縮機３２の吸入側に接続されたアキュムレータ３１と、四路切換弁３３に接続された室外熱交換器３０と、室外熱交換器３０に接続された電動膨張弁３４と、室外熱交換器３０に付設される室外ファン３５とを備えている。電動膨張弁３４は、液冷媒配管４１に接続されており、この液冷媒配管４１を介して室内熱交換器２０の一端と接続されている。また、四路切換弁３３は、ガス冷媒配管４２に接続されており、このガス冷媒配管４２を介して室内熱交換器２０の他端と接続されている。なお、冷媒配管４１及び４２は、上記した接続配管４に相当する。
【００２４】
＜室内機＞
室内機２は、図２及び図３に示すように、床置型の室内機であって、主として、ケーシングユニット５０と、ケーシングユニット５０の内部に収容される室内熱交換器２０及び室内ファン２１とを備えている。
【００２５】
＜ケーシングユニット＞
室内機２の外観を構成するケーシングユニット５０は、底フレーム５１と、前面グリル５２と、前面パネル５３とを備えている。このケーシングユニット５０により形成される内部空間は、図４に示すように、室内熱交換器２０や室内ファン２１等が設置されるファン室５０Ａと、電装品ユニット２２等が設けられる配管室５０Ｂとに区分される。
【００２６】
底フレーム５１は、略長方形状であって、室内機２の背面部分を構成している。そして、底フレーム５１の下部には、接続配管４を配管室５０Ｂに導入するための配管導入口５１ａが設けられている。
【００２７】
前面グリル５２は、図５に示すように、底フレーム５１の前面側に取り付けられる。この前面グリル５２の上部には上側吹出口５２ａが設けられると共に、前面グリル５２の下部には下側吹出口５２ｂが設けられている。また、上側吹出口５２ａには、フラップ５４が回動自在に設けられており、空調運転時に上側吹出口５２ａから冷風又は温風を所望の方向に吹き出すようにし、空調運転停止時に上側吹出口５２ａを覆うようにしている。この前面グリル５２の中央部分には、略長方形状の開口５２ｃが設けられている。この開口５２ｃには、後述する前面パネル５３の各吸込口５３ａ，５３ｂ，５３ｃ（図２参照）から吸い込まれた空気に含まれる塵埃を捕集するフィルタ５５が設けられている。また、本実施形態では、前面グリル５２には、後述する温度センサ７１に対応する位置にセンサカバー部５２ｄが設けられている。このセンサカバー部５２ｄは、前面パネル５３の側方吸込口５３ｃ（図２参照）から吸い込まれる空気の流路上に設けられており、当該空気を温度センサ７１に導くために複数の通風孔が形成されている。
【００２８】
前面パネル５３は、図２に示すように、前面グリル５２の開口５２ｃ（図５参照）を覆うように取り付けられている。この前面パネル５３の上部には上側吸込口５３ａが設けられると共に、前面パネル５３の下部には下側吸込口５３ｂが設けられている。さらに、前面パネル５３の左右の側面には、側方吸込口５３ｃが設けられている。この上側吸込口５３ａ及び下側吸込口５３ｂは、幅方向（Ｘ方向）に長尺な開口であると共に、側方吸込口５３ｃは、上下方向（Ｚ方向）に長尺な開口である。これにより、上下左右の四方向から室内空気を吸い込むことが可能となり、当該吸込口５３ａ，５３ｂ，５３ｃから吸い込んだ空気を均等に室内熱交換器２０を通過させることが可能となる。
【００２９】
＜室内熱交換器＞
室内熱交換器２０は、室内空気との間で熱交換を行うために設けられている。室内熱交換器２０は、図３に示すように、室内ファン２１と前面グリル５２との間に配置されている。この室内熱交換器２０は、図４及び図６に示すように、上下方向（Ｚ方向）に沿って所定の間隔を隔てて配置される複数の伝熱管２０ａと、隣接する伝熱管２０ａの端部を互いに接続する複数のＵ字連絡管２０ｂとを含んでいる。また、室内熱交換器２０は、幅方向に沿って所定の間隔を隔てて配置される複数の放熱フィン２０ｃと、当該複数の放熱フィン２０ｃの左右の端部に配置される管板２０ｄとを含んでいる。そして、上記した伝熱管２０ａは、放熱フィン２０ｃ及び管板２０ｄを貫通している。
【００３０】
＜冷媒用配管＞
また、図６及び図７に示すように、室内熱交換器２０の側方には、当該室内熱交換器２０に接続される冷媒用配管２３が配置されている。
＜接続配管＞
また、冷媒用配管２３の側方には、当該冷媒用配管２３に接続される接続配管２４が配置されている。この接続配管２４は、断熱性のカバー２５によって覆われた状態で底フレーム５１の背面から前面側に突出している固定部５１ｂに対してバンド２６により固定されている。接続配管２４は、底フレーム５１の下部に設けられた配管導入口５１ａを介して配管室５０Ｂに導入される接続配管４に接続される。
【００３１】
＜ドレンパン＞
また、室内熱交換器２０の下方には、当該室内熱交換器２０におけるドレン水を受けるドレンパン２７が配置されている。このドレンパン２７は、室内熱交換器２０の下端に沿って設けられており、その底面には、排水管２７ａが設けられている。この排水管２７ａは、ドレンパン２７内に溜まったドレン水を外部に排出し易くするために、配管導入口５１ａの近傍に設けられている。
【００３２】
＜接地用の端子部＞
また、図６及び図７に示すように、室内熱交換器２０の右側端部には、接地用の端子部２８が設けられており、電装品ユニット２２に電気的に接続される配線が接続されている。この接地用の端子部２８は、配管室５０Ｂ側の管板（以下、右側管板とする）２０ｄに取り付けられている。
【００３３】
＜防滴カバー＞
図４に示すように、冷媒用配管２３と前面グリル５２との間には、樹脂製の防滴カバー６０が設けられている。この防滴カバー６０は、室内熱交換器２０のＵ字連絡管２０ｂや冷媒用配管２３におけるドレン水が飛散するのを防止するために設けられており、その下端は、上記したドレンパン２７の内側に設けられている。これにより、Ｕ字連絡管２０ｂや冷媒用配管２３におけるドレン水が飛散した場合でも、その飛散したドレン水が、防滴カバー６０の内面を伝ってドレンパン２７に導かれる。この防滴カバー６０は、図８〜図１０に示すように、水平断面Ｌ字状であって、冷媒用配管２３の前面側を覆う前面部６０ａ、及び、冷媒用配管２３の室内熱交換器２０の反対側を覆う側面部６０ｂを有している。防滴カバー６０は、室内熱交換器２０と同じ高さを有しており、配管室５０Ｂ側のＵ字連絡管２０ｂを上端から下端まで覆っている。
【００３４】
この防滴カバー６０には、放熱フィン２０ｃと右側管板２０ｄとの間に嵌め込まれる爪部６１と、伝熱管２０ａに嵌合する嵌合部６２と、底フレーム５１の固定部５１ｂに係合する係合部６３と、当該固定部５１ｂの前面に当接する当接部６４と、接地用の端子部２８を覆う端子カバー部６５と、センサユニット７０を固定する固定部６６とが形成されている。また、固定部６６の上方及びファン室５０Ａ側の側方には、リブ部６７が立設されている。爪部６１、嵌合部６２、端子カバー部６５、固定部６６及びリブ部６７は、防滴カバー６０の前面部６０ａに形成されると共に、係合部６３及び当接部６４は、防滴カバー６０の側面部６０ｂに形成される。そして、前面部６０ａが室内熱交換器２０に固定されると共に、側面部６０ｂが底フレーム５１に固定されることにより、防滴カバー６０の両側を固定することが可能となる。
【００３５】
爪部６１は、放熱フィン２０ｃと右側管板２０ｄとの間に嵌め込まれることで、防滴カバー６０の幅方向（Ｘ方向）への移動を規制している。
【００３６】
嵌合部６２は、図１１に示すように、２つの伝熱管２０ａの間に嵌め込まれることで伝熱管２０ａに嵌合して、防滴カバー６０の上下方向（Ｚ方向）への移動を規制する。この嵌合部６２は、図８及び図１１に示すように、一方（上側）の伝熱管２０ａの下部を支持する上側支持部６２ａと、他方（下側）の伝熱管２０ａの上部を支持する下側支持部６２ｂとを有している。これらの支持部６２ａ，６２ｂは、共に上下方向に撓み変形可能であって、２つの伝熱管２０ａの間に嵌め込む際には、両支持部６２ａ，６２ｂの間隔が小さくなるように撓み、２つの伝熱管２０ａの間に嵌め込まれた際には、両支持部６２ａ，６２ｂが外側に広がる撓み力により支持部６２ａ，６２ｂと伝熱管２０ａとが当接する。また、上側支持部６２ａの上面６２１ａ、及び、下側支持部６２ｂの下面６２１ｂは、共に伝熱管２０ａの外周面を支持する曲面形状である。また、両支持部６２ａ，６２ｂの先端６２２ａ，６２２ｂは、テーパー形状になっており、２つの伝熱管２０ａの間に対して嵌合部６２を挿入し易くしている。
【００３７】
係合部６３は、図８及び図９に示すように、奥行き方向（Ｙ方向）に延在し、且つ、先端が鉤状になっている。この係合部６３は、撓み変形可能であって、接続配管２４を支持する底フレーム５１の固定部５１ｂ（図４参照）に引っ掛かる。
【００３８】
当接部６４は、固定部５１ｂの前面に当接することで、防滴カバー６０の奥行き方向への移動を規制している。
【００３９】
端子カバー部６５は、接地用の端子部２８（図６及び図７参照）を覆うために設けられており、金属製の接地用の端子部２８に結露したドレン水が飛散しないようにしている。
【００４０】
固定部６６は、冷媒用配管２３とは反対側の表面に形成されており、センサユニット７０（図１２参照）の上部を支持する上側支持部６６ａと、センサユニット７０の下部を支持する下側支持部６６ｂとを含んでいる。上側支持部６６ａは、図９に示すように、センサユニット７０の保持部材７２の突出片７２ａを挿入するための挿入孔６６１ａを有しており、当該挿入孔６６１ａに突出片７２ａが挿入されることにより、センサユニット７０を防滴カバー６０に固定することが可能となる。また、下側支持部６６ｂは、保持部材７２の下端の切欠７２ｂを下側から支持し、上記した突出片７２ａが挿入孔６６１ａから抜けないようにしている。
【００４１】
＜センサユニット７０＞
上記した防滴カバー６０の固定部６６には、室温を検知するための温度センサ７１を有するセンサユニット７０が固定されている。このセンサユニット７０は、図１２に示すように、温度センサ７１と、当該温度センサ７１を保持する樹脂製の保持部材７２とを有している。
【００４２】
温度センサ７１は、室内環境が所望の温度に達したか否かを判断等するため用いられるため、室内環境の正確な温度を検知することが望まれる。そこで、本実施形態では、温度センサ７１は、配管室５０Ｂにおいて、発熱源である電装品ユニット２２から離間した場所に配置されている。具体的には、温度センサ７１は、図４に示すように、上下方向（Ｚ方向）に関して、電装品ユニット２２の下方であって、且つ、上下方向に長尺な側方吸込口５３ｃ（図２参照）の中央位置の付近に配置されている。これは、電装品ユニット２２からの発熱によってケーシングユニット５０の内部に上昇気流が発生し、電装品ユニット２２の上部空間に熱がこもるからである。また、幅方向（Ｘ方向）に関して、温度センサ７１は、正面視において室内熱交換器２０に重ならないように配置されている。また、温度センサ７１は、上記した固定部６６において、防滴カバー６０において冷媒用配管２３とは反対側の表面に固定されている。これにより、温度センサ７１と冷媒用配管２３との間に防滴カバー６０が配置され、冷媒用配管２３からの輻射熱を当該防滴カバー６０で遮ることが可能となる。また、温度センサ７１は、その上方及び室内熱交換器２０側の側方が上記した防滴カバー６０のリブ部６７によって囲まれている。
【００４３】
保持部材７２には、上端に形成される突出片７２ａと、下端に形成される切欠７２ｂと、温度センサ７１の周囲に立設されるリブ部７２ｃとが形成されている。
【００４４】
＜室内ファン＞
室内ファン２１は、図３に示すように、室内熱交換器２０の背面側に付設され、吸込口５３ａ，５３ｂ，５３ｃ（図２参照）から吸引した室内空気を室内熱交換器２０を通過させる機能を有している。この室内ファン２１は、吸込口５３ａ，５３ｂ，５３ｃから吸い込んだ空気を径方向外側に送風するターボファンである。
【００４５】
＜電装品ユニット＞
配管室５０Ｂの上部には、図４に示すように、電装品が実装される基板やリモコン（図示せず）から送信される信号を受信する受信部などを有する電装品ユニット２２が設けられている。このように、電装品ユニット２２を配管室５０Ｂの上部に配置することによって、室内熱交換器２０におけるドレン水が滴下して電装品ユニット２２に浸水してしまうのを防止することができる。また、電装品ユニット２２には、当該電装品ユニット２２とセンサユニット７０とを互いに着脱可能に固定する固定部２２ａが設けられている。本実施形態では、当該固定部２２ａに固定されるセンサユニット７０を取り外して、上記した防滴カバー６０の固定部６６に取り付ける。つまり、防滴カバー６０を取り付けていない状態では、図７に示すように、固定部２２ａに取り付けておき、防滴カバー６０を取り付けた状態では、図４に示すように、固定部２２ａからセンサユニット７０を取り外して、防滴カバー６０の固定部６６に取り付ける。
【００４６】
［本実施形態の室内機の特徴］
本実施形態の室内機２には、以下のような特徴がある。
【００４７】
上記したように、本実施形態の室内機２では、温度センサ７１が電装品ユニット２２から離隔しているので、電装品ユニット２２からの発熱の影響を受けにくい。また、ケーシングユニット５０により形成される内部空間の上部には、電装品ユニット２２の発熱によって暖められた空気が滞留しやすい。これに対して本実施形態の室内機２は、温度センサ７１が電装品ユニット２２の下方に配置されており、暖められた空気から離れているので、より電装品ユニット２２の発熱の影響を受けにくい。
【００４８】
さらに、温度センサ７１が正面視において室内熱交換器２０から離隔しているので、室内熱交換器２０からの熱伝達の影響を受けにくい。特に、近年の薄型の室内機では、温度センサ７１を室内熱交換器２０に重なるように配置すると、温度センサ７１と室内熱交換器２０との距離が近くなり、温度センサ７１が室内熱交換器２０の影響を受け易くなるが、本実施形態の室内機２のように温度センサ７１を正面視において室内熱交換器２０から離隔して配置することで、薄型の室内機でも、室内熱交換器２０からの熱伝達の影響を抑制することができる。以上のように、当該温度センサ７１は、電装品ユニット２２及び室内熱交換器２０からの熱の影響を受けにくいので、当該温度センサ７１で室内温度を正確に検知することができる。
【００４９】
また、本実施形態の室内機２では、側方吸込口５３ｃからの空気の流速は、側方吸込口５３ｃの端部から最も離れた中央付近において最大となりやすい。したがって、この室内機２では、側方吸込口５３ｃからの空気をより確実に温度センサ７１に当てることができるので、室内温度を正確に検知することができる。
【００５０】
また、本実施形態の室内機２では、防滴カバー６０が冷媒用配管２３と温度センサ７１との間に配置されるので、温度センサ７１が冷媒用配管２３からの熱伝達の影響を受けにくい。このため、室内温度をより正確に検知することができる。
【００５１】
また、本実施形態の室内機２では、電装品ユニット２２に当該電装品ユニット２２とセンサユニット７０とを互いに着脱可能に固定する固定部２２ａを設けることによって、装置組み立て前には電装品ユニット２２に温度センサ７１を固定しておき、組み立て時に電装品ユニット２２から温度センサ７１を取り外して電装品ユニット２２から離隔した防滴カバー６０の固定部６６に固定することができる。
【００５２】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００５３】
例えば、上記実施形態では、温度センサ７１を室内熱交換器２０の側方に配置する例について説明したが、本発明はこれに限らず、電装品ユニット２２の下方であって、且つ、正面視において室内熱交換器２０に重ならないように配置すればよいので、例えば、温度センサ７１を室内熱交換器２０の下方に配置してもよい。
【００５４】
また、上記実施形態では、室外機と室内機とを備えたセパレートタイプの空気調和機について説明したが、一体型の空気調和機にも適用可能である。
【産業上の利用可能性】
【００５５】
本発明を利用すれば、室内温度を正確に検知することが可能な温度センサを備えた床置型空気調和機を得ることができる。
【図面の簡単な説明】
【００５６】
【図１】本発明の一実施形態の空気調和機の冷媒回路図である。
【図２】室内機の外観を示した斜視図である。
【図３】室内機の断面図である。
【図４】前面パネル及び前面グリルを取り外した室内機の正面図である。
【図５】前面パネルを取り外した室内機の斜視図である。
【図６】室内熱交換器の端部を示した斜視図である。
【図７】前面パネル、前面グリル及び防滴カバーを取り外した室内機の正面図である。
【図８】防滴カバーの斜視図である。
【図９】防滴カバーの斜視図である。
【図１０】防滴カバーの正面図である。
【図１１】防滴カバーの嵌合部が室内熱交換器の伝熱管に嵌合した状態を示した断面図である。
【図１２】センサユニットの正面図である。
【符号の説明】
【００５７】
１  空気調和機
２０  室内熱交換器
２２  電装品ユニット
２２ａ  固定部
２３  冷媒用配管
５０  ケーシングユニット
５３ｃ  側方吸込口
６０  防滴カバー（カバー部材）
７０  センサユニット
７１  温度センサ
【図１】
2010078219.tif 000003
【図２】
2010078219.tif 000004
【図３】
2010078219.tif 000005
【図４】
2010078219.tif 000006
【図５】
2010078219.tif 000007
【図６】
2010078219.tif 000008
【図７】
2010078219.tif 000009
【図８】
2010078219.tif 000010
【図９】
2010078219.tif 000011
【図１０】
2010078219.tif 000012
【図１１】
2010078219.tif 000013
【図１２】
2010078219.tif 000014